(57)【要約】【課題】弾性材料からなる小径のバルーンを超音波プローブを有する挿入部の先端部に容易に装着できるようにした超音波内視鏡システム、超音波内視鏡用バルーン装着キット、及び超音波内視鏡用バルーンの装着補助具を提供する。【解決手段】一対の開閉片３１及び一対の開閉片を接続する接続部３６を有し、開閉片に、自由状態にあるときは互いに離間し弾性変形することにより互いに接近する、一対の開閉片の離間方向及び開閉片の延長方向に対して略直交する方向に延びる、バルーンＢ１の開口部Ｂ２に挿脱可能な挿入片３３を突設した。【選択図】図８
2010017485.tif 000002
【特許請求の範囲】
【請求項１】
内視鏡の挿入部の先端部に、弾性材料製のバルーンを被せるための装着補助具であって、
一対の開閉片及び該一対の開閉片を接続する接続部を有し、
上記開閉片に、該開閉片及び上記接続部が自由状態にあるときは互いに離間し、該開閉片と上記接続部の少なくも一方が弾性変形することにより互いに接近する、上記一対の開閉片の離間方向及び開閉片の延長方向に対して略直交する方向に延びる、バルーンの開口部に挿脱可能な挿入片を突設したことを特徴とする内視鏡用バルーンの装着補助具。
【請求項２】
請求項１記載の内視鏡用バルーンの装着補助具において、
一対の上記開閉片が互いに略平行をなす板状であり、
一対の上記挿入片が互いに略平行をなす板状である内視鏡用バルーンの装着補助具。
【請求項３】
請求項１または２記載の内視鏡用バルーンの装着補助具において、
上記挿入片に、バルーンの上記開口部の周縁部に形成した他の部分より肉厚の口巻部が係合する係合溝を形成した内視鏡用バルーンの装着補助具。
【請求項４】
請求項１から３のいずれか１項記載の内視鏡用バルーンの装着補助具において、
上記開閉片に、指を当てるための指当部を突設した内視鏡用バルーンの装着補助具。
【請求項５】
請求項４記載の内視鏡用バルーンの装着補助具において、
上記指当部と上記挿入片は、上記開閉片の長手方向位置が略同一である内視鏡用バルーンの装着補助具。
【請求項６】
請求項４記載の内視鏡用バルーンの装着補助具において、
上記指当部が上記挿入片よりも上記開閉片の先端側に位置する内視鏡用バルーンの装着補助具。
【請求項７】
請求項１から６のいずれか１項記載の内視鏡用バルーンの装着補助具において、
上記開閉片の表面に、凹凸からなる滑止部を形成した内視鏡用バルーンの装着補助具。
【請求項８】
内視鏡の先端部に着脱可能に被せる弾性材料製のバルーンと、
一対の開閉片及び該一対の開閉片を接続する接続部を有する、該バルーンを上記先端部に装着するための装着補助具と、を具備し、
一対の上記開閉片に、該開閉片及び上記接続部が自由状態にあるとき、自由状態にある上記バルーンの開口部より広幅の間隔で互いに離間し、かつ該開閉片と上記接続部の少なくも一方が弾性変形することによりバルーンの上記開口部に挿入可能となるまで互いに接近する、上記一対の開閉片の離間方向及び開閉片の延長方向に対して略直交する方向に延びる挿入片を突設したことを特徴とする内視鏡用バルーン装着キット。
【請求項９】
請求項８記載の内視鏡用バルーン装着キットにおいて、
一対の上記挿入片を上記バルーン内に挿入した状態で上記装着補助具から該バルーンの弾性力以外の外力を取り除いたときに、一対の開閉片どうしの間隔が平行または上記先端側に向かうにつれて拡がるように、上記装着補助具及び上記バルーンの弾性を設定した内視鏡用バルーン装着キット。
【請求項１０】
内視鏡と、
上記内視鏡の先端部に着脱可能に被せる弾性材料製のバルーンと、
一対の開閉片及び該一対の開閉片を接続する接続部を有する、該バルーンを上記先端部に装着するための装着補助具と、を具備し、
一対の上記開閉片に、該開閉片及び上記接続部が自由状態にあるとき、自由状態にある上記バルーンの開口部及び内視鏡の上記先端部より広幅の間隔で互いに離間し、かつ該開閉片と上記接続部の少なくも一方が弾性変形することによりバルーンの上記開口部に挿入可能となるまで互いに接近する、上記一対の開閉片の離間方向及び開閉片の延長方向に対して略直交する方向に延びる挿入片を突設したことを特徴とする内視鏡システム。
【発明の詳細な説明】
【技術分野】
【０００１】
本発明は、内視鏡の挿入部の先端部に弾性材料からなるバルーンを装着する際に用いる装着補助具、内視鏡用バルーン装着キット、及び、内視鏡システムに関する。
【背景技術】
【０００２】
バルーンを装着して用いる内視鏡としては、超音波内視鏡、バルーン内視鏡、細胞シート搬送用内視鏡などがある。
たとえば、超音波内視鏡の挿入部の超音波プローブを有する先端部に弾性材料からなるバルーンを装着する場合、従来は手や特許文献１に開示された装着補助具（装着治具）を利用してバルーンを広げ、広げたバルーンを該先端部（超音波プローブ）に被せていた。
【特許文献１】特許第３４２５７８５号公報
【発明の開示】
【発明が解決しようとする課題】
【０００３】
近年の内視鏡は患者の負担を軽減するために挿入部を小径化する傾向にあり、特に気管用内視鏡は小径化が著しい。そのため、これらの内視鏡に装着するバルーンの小径化が進んでいる。
しかし、小径のバルーンを手や従来の装着補助具を利用して広げるのは容易でないので、小径のバルーンを小径の挿入部の先端部に装着するのが困難になりつつある。特にバルーンを用いる内視鏡の場合、挿入部の先端部に形成したバルーン脱落防止用の取付溝（環状溝）にバルーンの開口端部を嵌める必要があるので、特に装着が困難である。
【０００４】
本発明は、弾性材料からなる小径のバルーンを内視鏡の先端部に容易に装着できるようにした内視鏡用バルーンの装着補助具、超音波内視鏡用バルーン装着キット、及び内視鏡システムを提供することを目的とする。
【課題を解決するための手段】
【０００５】
本発明の内視鏡用バルーンの装着補助具は、内視鏡の挿入部の先端部に、弾性材料製のバルーンを被せるための装着補助具であって、一対の開閉片及び該一対の開閉片を接続する接続部を有し、上記開閉片に、該開閉片及び上記接続部が自由状態にあるときは互いに離間し、該開閉片と上記接続部の少なくも一方が弾性変形することにより互いに接近する、上記一対の開閉片の離間方向及び開閉片の延長方向に対して略直交する方向に延びる、バルーンの開口部に挿脱可能な挿入片を突設したことを特徴としている。
【０００６】
一対の上記開閉片が互いに略平行をなす板状であり、一対の上記挿入片が互いに略平行をなす板状であるのが好ましい。
【０００７】
上記挿入片に、バルーンの上記開口部の周縁部に形成した他の部分より肉厚の口巻部が係合する係合溝を形成するのが好ましい。
【０００８】
上記開閉片に、指を当てるための指当部を突設するのが好ましい。
この場合は、上記指当部と上記挿入片は、上記開閉片の長手方向位置が略同一であってもよいし、上記指当部が上記挿入片よりも上記開閉片の先端側に位置していてもよい。
【０００９】
本発明の超音波内視鏡用バルーン装着キットは、内視鏡の先端部に着脱可能に被せる弾性材料製のバルーンと、一対の開閉片及び該一対の開閉片を接続する接続部を有する、該バルーンを上記先端部に装着するための装着補助具と、を具備し、一対の上記開閉片に、該開閉片及び上記接続部が自由状態にあるとき、自由状態にある上記バルーンの開口部より広幅の間隔で互いに離間し、かつ該開閉片と上記接続部の少なくも一方が弾性変形することによりバルーンの上記開口部に挿入可能となるまで互いに接近する、上記一対の開閉片の離間方向及び開閉片の延長方向に対して略直交する方向に延びる挿入片を突設したことを特徴としている。
【００１０】
一対の上記挿入片を上記バルーン内に挿入した状態で上記装着補助具から該バルーンの弾性力以外の外力を取り除いたときに、一対の開閉片どうしの間隔が平行または上記先端側に向かうにつれて拡がるように、上記装着補助具及び上記バルーンの弾性を設定するのが好ましい。
【００１１】
本発明の超音波内視鏡システムは、内視鏡と、上記内視鏡の先端部に着脱可能に被せる弾性材料製のバルーンと、一対の開閉片及び該一対の開閉片を接続する接続部を有する、該バルーンを上記先端部に装着するための装着補助具と、を具備し、一対の上記開閉片に、該開閉片及び上記接続部が自由状態にあるとき、自由状態にある上記バルーンの開口部及び内視鏡の上記先端部より広幅の間隔で互いに離間し、かつ該開閉片と上記接続部の少なくも一方が弾性変形することによりバルーンの上記開口部に挿入可能となるまで互いに接近する、上記一対の開閉片の離間方向及び開閉片の延長方向に対して略直交する方向に延びる挿入片を突設したことを特徴としている。
【発明の効果】
【００１２】
請求項１、８及び１０の発明によれば、装着補助具の一対の開閉片と接続部の少なくとも一方を弾性変形させることにより一対の挿入片を互いに接近させて、一対の挿入片をバルーンの開口部に挿入した後に装着補助具を自由状態に復帰させると、一対の挿入片が離間して（開いて）バルーンの開口部を弾性的に押し広げる。従って、内視鏡の挿入部の先端部を一対の開閉片の間からバルーンの開口部内に挿入可能になる。そして、その後に装着補助具の一対の挿入片をバルーン内から脱出方向に移動させれば、装着補助具と内視鏡の挿入部を接触させることなく、一対の挿入片がバルーン内から引き抜かれる。すると、バルーンが弾性復帰することにより内視鏡の先端部（超音波プローブ）に自動的に装着するので、小径のバルーンを小径の挿入部の先端部に容易に装着できる。
しかも、術者は装着補助具から力を抜いた状態で、内視鏡の先端部のバルーンへの挿入作業及びバルーンからの挿入片の引き抜き作業を行えるので、術者の負担を小さくすることが可能である。
さらに、挿入片を開閉片に、一対の開閉片の離間方向及び開閉片の延長方向に対して略直交する方向に突設しているので、挿入片によって開閉片の長手寸法が大きくなることがない。そのため、装着補助具全体を長手方向にコンパクトにすることが可能である。
【００１３】
請求項２のように構成すれば、一対の挿入片をバルーン内に挿入した状態で装着補助具を自由状態にすると、一対の挿入片によって拡げられたバルーンの開口部寸法が、内視鏡の挿入部の先端部よりも大きくなるので、内視鏡の先端部をバルーン内に挿入し易くなる。
【００１４】
請求項３のように構成すれば、バルーンの口巻部を一対の挿入片の係合溝に係合することにより、一対の挿入片に対するバルーンの装着状態を確実に保持できるようになる。従って、内視鏡の先端部に対するバルーンの装着作業がより容易になる。
【００１５】
請求項４のように構成すれば、術者による開閉片の開閉作業がより容易になる。
【００１６】
請求項５のように構成すれば、開閉片の開閉支点である接続部から術者の把持位置（指当部）までの距離が長くなるので、術者は小さい力で開閉片を開閉操作できるようになる。
特に、請求項６のように指当部が挿入片よりも開閉片の先端側に位置する場合は、その効果が顕著になる。
【００１７】
請求項７のように構成すれば、術者による開閉片の開閉作業がさらに容易になる。
【００１８】
請求項９のように構成すれば、一対の挿入片（開閉片）の開き方向の弾性力によってバルーンの開口部を拡げたときに一対の開閉片どうしの間隔が先端側に向かうにつれて狭まる場合に比べて、一対の挿入片の間に内視鏡の先端部を通し易くなる。
【発明を実施するための最良の形態】
【００１９】
以下、本発明の一実施形態を図１から図１１を参照しながら説明する。なお、以下の説明中の前後方向は、超音波内視鏡１０の挿入部１２の先端部側を「前方」、挿入部１２の基端部側を「後方」と定義している。
図１に示す超音波内視鏡１０は気管用の医療内視鏡であり、操作部１１と、操作部１１から前方に延びる挿入部１２と、共に操作部１１から挿入部１２と反対側に延びるユニバーサルチューブ１３及び超音波画像伝送用チューブ１４と、を備えている。超音波画像伝送用チューブ１４は超音波診断装置（図示略）に接続するものであり、ユニバーサルチューブ１３はプロセッサ（画像処理装置兼光源装置。図示略）に接続するものであり、超音波診断装置及びプロセッサは共にモニタ（図示略）に接続している。
挿入部１２における先端部近傍をなす部分は、操作部１１に設けた湾曲操作レバー１５の回転操作に応じて上下及び左右方向に湾曲する湾曲部１７であり、湾曲部１７より基端側の部分は自重や術者の直接的な操作によって湾曲する可撓管部１８である。
図１及び図８に示すように、挿入部１２における湾曲部１７より先端側の部分は硬質樹脂製の先端部１９となっている。先端部１９の後半部には傾斜面２０が形成してあり、この傾斜面２０には対物レンズ２１、照明レンズ２２等が設けてある。先端部１９の前半部には傾斜面２０の直前に位置する超音波プローブ２３が形成してある。また、先端部１９の傾斜面２０と超音波プローブ２３の間に位置する部分には全周にわたって環状溝２４が形成してある。
【００２０】
この超音波内視鏡１０はその先端部１９の前半部（超音波プローブ２３を形成した部分）に図４、図５等に示した弾性材料製（例えばシリコンゴム）のバルーンＢ１を被せて使用する。具体的には、バルーンＢ１の開口部Ｂ２の周縁部に形成した口巻部Ｂ３（周縁部を巻き上げて形成した他の部分よりも肉厚の環状部）を環状溝２４に弾性的に嵌合し（密着し）、先端部１９の前半部とバルーンＢ１の間に出来た空間に水を充填させて使用する。
このバルーンＢ１は自由状態においては先端部１９の前半部より小寸なので、口巻部Ｂ３が拡大するように弾性変形させながら先端部１９に被せる。しかし、気管用の内視鏡である超音波内視鏡１０の先端部１９の径が極めて小さい（例えば７mm程度）ため、超音波内視鏡１０に合わせて設計したバルーンＢ１の自由状態における径も極めて小さい（例えば内径で１mm〜３mm程度）。そのため術者が手で口巻部Ｂ３を拡げながらバルーンＢ１を先端部１９の前半部に被せるのは困難である。
そこで本実施形態では、以下に説明する装着補助具３０を利用してバルーンＢ１を先端部１９の前半部に装着する。
【００２１】
図２、図３及び図４等に示すように、装着補助具３０は金属板から打ち抜いた一体物の板材を曲折したものであり、互いに略平行をなしながら直線的に延びる板状の一対の開閉片３１と、この一対の開閉片３１の基端部同士を接続する平面視略Ｃ字形の接続部３６と、を具備している。
開閉片３１は先端側に向かうにつれて徐々に幅狭となっており、特に先端部近傍部分は当該部分に比べて急激に幅が狭まる狭幅部３２となっている。そして、狭幅部３２の縁部には、一対の開閉片３１の離間方向及び開閉片３１の延長方向に対して略直交する方向に延びる板状の挿入片３３が一体的に突設してある。さらに、挿入片３３の基端部（狭幅部３２との接続部）の両端部には係合溝３４が凹設してある。
図示するように、両開閉片３１の基端部同士の間隔より接続部３６の最大幅の方が大きい。この装着補助具３０の表面全体にはフッ素樹脂がコーティングしてある。さらに、装着補助具３０の周縁部には全周に渡って面取り加工が施してある。
このような構造の装着補助具３０は、自由状態（図２、図１１の状態）において一対の開閉片３１同士が互いに離間し、一対の狭幅部３２及び挿入片３３どうしの間隔は超音波内視鏡１０の先端部１９の幅より広幅となる。さらに、このときの一対の狭幅部３２及び挿入片３３同士の間隔は開閉片３１の基端部どうしの間隔より広幅、かつ自由状態にあるバルーンＢ１（図４参照）の径より広幅である。一対の開閉片３１を手指で把持した上で一対の開閉片３１を互いに近づく方向に押圧すれば（弾性変形させれば）、図４に示すように一対の開閉片３１はその狭幅部３２及び挿入片３３同士が接触する位置まで接近可能である。なお、一対の挿入片３３同士が接触する位置まで装着補助具３０を弾性変形させても、開閉片３１の基端部同士はほとんど接近しない。
【００２２】
次にこのような構造の装着補助具３０を用いてバルーンＢ１を超音波内視鏡１０の先端部１９の前半部に装着する要領について説明する。
まず、術者の手（図示略）で装着補助具３０の一対の開閉片３１（例えば、狭幅部３２より基端側の広幅の部分）を把持し、一対の開閉片３１どうしを接近する方向に弾性変形させる（図４参照）。すると一対の狭幅部３２及び挿入片３３同士が互いに接触するので、図４に示すように装着補助具３０の挿入片３３を自由状態にあるバルーンＢ１に接近させる。そして、図５に示すように一対の挿入片３３の一方の端部を口巻部Ｂ３（開口部Ｂ２）から自由状態にあるバルーンＢ１内に挿入し、口巻部Ｂ３を一方の係合溝３４に係合させる。さらに、図６に示すように、バルーンＢ１を挿入片３３全体に被せて、他方の係合溝３４にも口巻部Ｂ３を係合させる。図６に示すように、挿入片３３の幅（図６における前後長）は自由状態にあるバルーンＢ１の開口部Ｂ２の径より僅かに大きいので、一対の挿入片３３をバルーンＢ１内に挿入すると、バルーンＢ１は平面視（図６の上側から見たとき）において挿入片３３の幅方向には伸び（長くなり）、一対の挿入片３３の対向方向（図６では紙面に直交する方向）には縮む（狭くなる）。
【００２３】
このように一対の挿入片３３をバルーンＢ１内に挿入したら、一対の開閉片３１に加えていた把持力を解放する。すると、バルーンＢ１及び装着補助具３０の弾性力によって図７に示すように一対の開閉片３１が略平行（図７では一対の開閉片３１の先端側の間隔が基端側の間隔よりやや広いが、一対の開閉片３１が互いに平行をなすようにバルーンＢ１及び装着補助具３０の弾性を設定してもよい）となるように該一対の開閉片３１が開くので、一対の挿入片３３によってバルーンＢ１が装着補助具３０の幅方向（開閉片３１の離間方向）に拡げられる。
次いで、図８に示すように、超音波内視鏡１０の先端部１９を一対の狭幅部３２の間の直下に位置させる。このとき一対の狭幅部３２及び挿入片３３どうしのクリアランスは超音波内視鏡１０の先端部１９の外径寸法よりも大きいので、先端部１９（超音波内視鏡１０）を図８の実線の位置から上方に直線移動させると、先端部１９は一対の狭幅部３２及び挿入片３３の間を接触せずに通過する。図１０に示すように、一対の挿入片３３によって拡げられたバルーンＢ１の開口部Ｂ２は、その寸法が先端部１９の前半部（超音波プローブ２３を形成した部分）の径より大寸となるので、超音波内視鏡１０の先端部１９をさらに上方に直線移動させると、先端部１９は開口部Ｂ２（口巻部Ｂ３）からバルーンＢ１内に進入する（図９参照）。
そして、図１１に示すようにこの状態から一対の挿入片３３を下方に移動させることにより、一対の挿入片３３をバルーンＢ１の内部から引き抜くと、バルーンＢ１が自身の弾性によって縮みながら先端部１９の前半部に自動的に密着し、口巻部Ｂ３が環状溝２４に自動的に嵌合（密着）する。
【００２４】
以上説明したように、本実施形態では超音波内視鏡１０の先端部１９を開閉片３１の長手方向に対して略直交する方向からバルーンＢ１に挿入できるので、先端部１９を一対の狭幅部３２及び挿入片３３の間に通すときに、先端部１９が開閉片３１における狭幅部３２より基端側の部分と干渉することはない。しかも、一対の係合溝３４にバルーンＢ１の口巻部Ｂ３を固定（挿入片３３から抜け止め）した状態で挿入片３３をバルーンＢ１内に挿入できる。そのため、本実施形態の装着補助具３０を用いれば超音波内視鏡１０の小径の先端部１９に小径のバルーンＢ１を容易に装着できる。
さらに、超音波内視鏡１０の小径の先端部１９を一対の狭幅部３２及び挿入片３３に接触させることなくバルーンＢ１に装着できるので、対物レンズ２１、照明レンズ２２、及び超音波プローブ２３が装着補助具３０によって傷つくおそれがない。
また、挿入部１２と干渉することなく挿入片３３をバルーンＢ１内から引き抜けるので、装着補助具３０は引き抜き作業も円滑に行うことが可能である。
さらに、先端部１９のバルーンＢ１内への挿入作業及びバルーンＢ１からの挿入片３３の引き抜き作業を、術者が装着補助具３０から力を抜いた状態（装着補助具３０を狭持して弾性変形させない状態）で行えるので、術者の負担を小さくすることが可能である。
【００２５】
さらに、挿入片３３を開閉片３１の先端面に開閉片３１の延長方向に突出させながら設けるのではなく、一対の開閉片３１の離間方向及び開閉片３１の延長方向に対して略直交する方向に向けて突設しているので、挿入片３３の存在によって開閉片３１の長手寸法が大きくなることはない。そのため、装着補助具３０の長手寸法をコンパクトにできる。
また、本実施形態の装着補助具３０は、金属板を打ち抜いて成形した後に表面全体にフッ素樹脂を施し、かつ周縁部に面取り加工を施したものなので、装着補助具３０の表面全体は滑らかである。そのため、この点においても挿入片３３のバルーンＢ１への挿脱作業を円滑に行なうことが可能であり、かつバルーンＢ１への挿脱作業時にバルーンＢ１の表面（内面）を傷つけることがない。装着補助具３０の表面全体は滑らかにするために、フッ素樹脂コートを施す代わりに装着補助具３０の表面を研磨加工しても良いが、フッ素樹コートの方が表面保護の点で優れている。
【００２６】
以上、本発明を上記実施形態に基づいて説明したが、本発明は上記実施形態に限定されるものではなく様々な変形を施しながら実施可能である。
例えば、図１２〜図１４に示すように、開閉片３１に術者が指を当てる（把持する）ための指当部を突設してもよい。
図１２に示す第１の変形例の装着補助具４０では、開閉片４１の先端部近傍に狭幅部４２を形成し（開閉片４１は開閉片３１とは異なる形状であるが、他方の開閉片４１と略平行な板状である。また、狭幅部４２の形状は狭幅部３２とは異なる）、開閉片４１の先端部に挿入片３３及び係合溝３４を形成している。そして、狭幅部４２の先端部に挿入片３３と反対側に向かって突出する指当部４３を一体的に形成している。一方、図１３に示す第２の変形例の装着補助具５０では、開閉片５１の先端部近傍に狭幅部５２を形成し（開閉片５１は開閉片３１とは異なる形状であるが、他方の開閉片５１と略平行な板状である。また、狭幅部５２の形状は狭幅部３２とは異なる）、開閉片５１の先端部に挿入片３３及び係合溝３４を形成している。そして、狭幅部５２の先端部に挿入片３３と反対側に向かって突出する指当部５３を一体的に形成している。
このように、開閉片４１、５１の先端部に指当部４３、５３を設けると、開閉片４１、５１の開閉支点である接続部３６から、術者の把持位置（指当部４３、５３）までの距離が長くなるので、術者は小さい力で開閉片４１、５１を開閉操作できる。
図１４に示す第３の変形例の装着補助具６０では、開閉片６１の先端部近傍に狭幅部６２を形成し（開閉片６１は開閉片３１とは異なる形状であるが、他方の開閉片６１と略平行な板状である。また、狭幅部６２の形状は狭幅部３２とは異なる）、狭幅部６２の縁部に挿入片３３及び係合溝３４を形成している。そして、狭幅部６２の先端部には、狭幅部６２（挿入片３３）よりも接続部３６から遠い位置に位置しかつ開閉片６１（狭幅部４２）と略平行方向に延びる板状の指当部６３が一体的に突設してある。
この第３の変形例のように、指当部６３を挿入片３３よりも接続部３６から離れた位置に配置した場合は、術者はさらに小さい力で挿入片３３を開閉することが可能である。
【００２７】
また、図１５及び図１６に示すように、開閉片３１の外側面に滑止部を形成してもよい。
図１５に示す第４の変形例の装着補助具７０では、開閉片３１の両側面の先端部近傍部分に、複数の直線状凹部７１を並べて形成することにより滑止部を形成している。一方、図１６に示す第５の変形例の装着補助具８０では、開閉片３１の両側面の先端部近傍部分に格子状凹部８１を形成することにより滑止部を形成している。
このような滑止部を形成すれば、術者は開閉片３１の開閉作業をさらに容易に行えるようになる。
なお、凹みではなく開閉片３１の外側面に形成した凸部によって滑止部を形成することも可能であり、また滑止部の形状は図示したものには限定されない。
【００２８】
さらに、図１７及び図１８に示す第６の変形例の装着補助具９０のように、狭幅部３２に側面視矩形（係合溝３４を形成していない）をなす板状の挿入片９１を突設してもよい。この挿入片９１の先端部には抜止部９２が折り曲げにより形成してあり、挿入片９１をバルーンＢ１内に挿入したときは、この抜止部９２によってバルーンＢ１が挿入片９１から不意に脱落するのが防止される。
なお、図１２〜図１４に示す指当て部の変形例と、図１５及び図１６に示す滑止部の変形例と、図１７及び図１８に示す挿入片の変形例とを、相互に組み合わせて実施してもよい。
【００２９】
また、装着補助具３０、４０、５０、６０、７０、８０、９０の接続部３６のみを弾性変形させて一対の開閉片３１、４１、５１、６１を互いに接近させたり、開閉片３１、４１、５１、６１と接続部３６を同時に弾性変形させて一対の開閉片３１、４１、５１、６１を互いに接近させてもよい。
さらに、上記実施形態及び各変形例は本発明を超音波内視鏡１０の先端部にバルーンを挿入する場合のものであるが、本発明はバルーン内視鏡や細胞搬送システムのようなバルーンを装着するシステムにも適用可能である。
【図面の簡単な説明】
【００３０】
【図１】本発明の一実施形態の超音波内視鏡の全体図である。
【図２】装着補助具の斜視図である。
【図３】装着補助具の一部を示す側面図である。
【図４】バルーンと装着補助具の分離状態の斜視図である。
【図５】バルーンに装着補助具の挿入片の端部を挿入したときの側面図である。
【図６】バルーンに挿入片を挿入した状態を示す側面図である。
【図７】バルーンに挿入片を挿入した後に装着補助具に加えていた把持力を解除したときの斜視図である。
【図８】一対の挿入片に装着されたバルーンに超音波内視鏡の先端部を挿入する直前の状態を示す斜視図である。
【図９】一対の挿入片に装着されたバルーンに超音波内視鏡の先端部を挿入したときの正面図である。
【図１０】図９のＸ−Ｘ矢線に沿う断面図である。
【図１１】装着補助具の挿入片をバルーンから引き抜いたときの正面図である。
【図１２】第１の変形例の装着補助具の側面図である。
【図１３】第２の変形例の装着補助具の側面図である。
【図１４】第３の変形例の装着補助具の側面図である。
【図１５】第４の変形例の装着補助具の側面図である。
【図１６】第５の変形例の装着補助具の側面図である。
【図１７】第６の変形例の装着補助具の側面図である。
【図１８】第６の変形例の装着補助具の正面図である。
【符号の説明】
【００３１】
１０    超音波内視鏡（内視鏡）
１１    操作部
１２    挿入部
１３    ユニバーサルチューブ
１４    超音波画像伝送用チューブ
１５    湾曲操作レバー
１７    湾曲部
１８    可撓管部
１９    先端部
２０    傾斜面
２１    対物レンズ
２２    照明レンズ
２３    超音波プローブ
２４    環状溝
３０    装着補助具
３１    開閉片
３２    狭幅部
３３    挿入片
３４    係合溝
３６    接続部
４０    装着補助具
４１    開閉片
４２    狭幅部
４３    指当部
５０    装着補助具
５１    開閉片
５２    狭幅部
５３    指当部
６０    装着補助具
６１    開閉片
６２    狭幅部
６３    指当部
７０    装着補助具
７１    直線状凹部（滑止部）
８０    装着補助具
８１    格子状凹部（滑止部）
９０    装着補助具
９１    挿入片
９２    抜止部
Ｂ１    バルーン
Ｂ２    開口部
Ｂ３    口巻部
【図１】
2010017485.tif 000003
【図２】
2010017485.tif 000004
【図３】
2010017485.tif 000005
【図４】
2010017485.tif 000006
【図５】
2010017485.tif 000007
【図６】
2010017485.tif 000008
【図７】
2010017485.tif 000009
【図８】
2010017485.tif 000010
【図９】
2010017485.tif 000011
【図１０】
2010017485.tif 000012
【図１１】
2010017485.tif 000013
【図１２】
2010017485.tif 000014
【図１３】
2010017485.tif 000015
【図１４】
2010017485.tif 000016
【図１５】
2010017485.tif 000017
【図１６】
2010017485.tif 000018
【図１７】
2010017485.tif 000019
【図１８】
2010017485.tif 000020